(57)【要約】【課題】ユーザーが所望のコンテンツを選択可能な、コンテンツ情報を表示する表示装置を提供すること。【解決手段】ＤＡＰ１は、表示部４と、表示部４に、コンテンツに関するコンテンツ情報を表示するＣＰＵ２と、を備える。ＣＰＵ２は、複数のコンテンツ情報において、重複する文字列が所定数の単語以上である場合に、重複部分を抜き出して表示し、複数のコンテンツ情報から重複部分を除いた情報を、重複部分とは別の領域にそれぞれ表示する。【選択図】図２
2018010705.tif 000002
【特許請求の範囲】
【請求項１】
表示部と、
前記表示部に、コンテンツに関するコンテンツ情報を表示する制御部と、を備え、
前記制御部は、複数の前記コンテンツ情報において、重複部分を抜き出して表示し、前記複数のコンテンツ情報から前記重複部分を除いた情報を、前記重複部分とは別の領域にそれぞれ表示することを特徴とする表示装置。
【請求項２】
前記制御部は、前記複数のコンテンツにおいて、重複する文字列が所定数の単語以上である場合に、前記重複部分を抜き出して表示し、前記複数のコンテンツ情報から前記重複部分を除いた情報を、前記重複部分とは別の領域にそれぞれ表示することを特徴とする請求項１に記載の表示装置。
【請求項３】
前記コンテンツは、楽曲であり、
前記コンテンツ情報は、前記楽曲のタイトル名であることを特徴とする請求項１又は２に記載の表示装置。
【請求項４】
表示部と、
制御部と、を備える表示装置の制御プログラムであって、
前記制御部による、前記表示部へのコンテンツに関するコンテンツ情報の表示、
複数の前記コンテンツ情報における、重複部分を抜き出しての表示、
前記複数のコンテンツ情報から前記重複部分を除いた情報の、前記重複部分とは別の領域への表示、
を実行させることを特徴とする表示装置の制御プログラム。
【発明の詳細な説明】
【技術分野】
【０００１】
本発明は、音楽等のコンテンツに関するコンテンツ情報を表示する表示装置、及び、表示装置の制御プログラムに関する。
【背景技術】
【０００２】
音楽等のコンテンツに関するコンテンツ情報（例えば、楽曲のタイトル名）を表示する表示装置において、コンテンツ情報は、リスト形式で表示される（例えば、特許文献１参照。）。図６は、従来のリスト形式でコンテンツ情報を表示する表示画面の一例を示す図である。図６に示すように、表示画面の上部には、アルバム名、アルバム名の下段にアーティスト名が表示されている。アルバム名、アーティスト名の表示領域の下に、アルバムに含まれる楽曲のタイトル名が表示されている。
【先行技術文献】
【特許文献】
【０００３】
【特許文献１】特開２００９−１４６４８３号公報
【発明の概要】
【発明が解決しようとする課題】
【０００４】
表示領域が限られている表示装置においては、クラシックのようにタイトル名が長い場合、タイトル名が省略されてしまう。このため、クラシックのように同じようなタイトル名が連続するアルバムの場合、タイトルに関する同じ情報しか表示されない。例えば、図６においては、１曲目から３曲目まで、同じ情報である「ピアノ協奏曲第１番ハ長調作品」しか表示されていない。このため、ユーザーは、所望のタイトル名の楽曲を選択することが難しい。
【０００５】
本発明の目的は、ユーザーが所望のコンテンツを選択可能な、コンテンツ情報を表示する表示装置を提供することである。
【課題を解決するための手段】
【０００６】
第１の発明の表示装置は、表示部と、前記表示部に、コンテンツに関するコンテンツ情報を表示する制御部と、を備え、前記制御部は、複数の前記コンテンツ情報において、重複部分を抜き出して表示し、前記複数のコンテンツ情報から前記重複部分を除いた情報を、前記重複部分とは別の領域にそれぞれ表示することを特徴とする。
【０００７】
本発明では、制御部は、複数のコンテンツ情報において、重複部分を抜き出して表示し、複数のコンテンツ情報から重複部分を除いた情報を、重複部分とは別の領域にそれぞれ表示する。このため、各コンテンツ情報において、異なる情報が表示されるため、長い文字数のコンテンツ情報であっても、表示できる文字数が多くなる。これにより、ユーザーが所望のコンテンツを選択しやすくなる。
【０００８】
第２の発明の表示装置は、第１の発明の表示装置において、前記制御部は、前記複数のコンテンツにおいて、重複する文字列が所定数の単語以上である場合に、前記重複部分を抜き出して表示し、前記複数のコンテンツ情報から前記重複部分を除いた情報を、前記重複部分とは別の領域にそれぞれ表示することを特徴とする。
【０００９】
第３の発明の表示装置は、第１又は第２の発明の表示装置において、前記コンテンツは、楽曲であり、前記コンテンツ情報は、前記楽曲のタイトル名であることを特徴とする。
【００１０】
本発明では、複数のタイトル名において、重複部分を抜き出して表示し、複数のタイトル名から重複部分を除いた情報を、重複部分とは別の領域にそれぞれ表示する。このため、各タイトル名において、異なる情報が表示されるため、長い文字数のタイトルであっても、表示できる文字数が多くなる。これにより、ユーザーが所望の楽曲を選択しやすくなる。
【００１１】
第４の発明の表示装置の制御プログラムは、表示部と、制御部と、を備える表示装置の制御プログラムであって、前記制御部による、前記表示部へのコンテンツに関するコンテンツ情報の表示、複数の前記コンテンツ情報における、重複部分を抜き出しての表示、前記複数のコンテンツ情報から前記重複部分を除いた情報の、前記重複部分とは別の領域への表示、を実行させることを特徴とする。
【発明の効果】
【００１２】
本発明によれば、ユーザーが所望のコンテンツを選択しやすくなる。
【図面の簡単な説明】
【００１３】
【図１】本発明の実施形態に係るデジタルオーディオプレーヤーの構成を示すブロック図である。
【図２】楽曲のタイトル名を表示する表示画面の一例である。
【図３】リスト画面に遷移する場合のデジタルオーディオプレーヤーの処理動作を示すフローチャートである。
【図４】ハッシュマップの一例を示す図である。
【図５】図３のＳ３の処理を示すフローチャートである。
【図６】従来のリスト形式でコンテンツ情報を表示する表示画面の一例を示す図である。
【発明を実施するための形態】
【００１４】
以下、本発明の実施形態について説明する。図１は、本発明の実施形態に係るデジタルオーディオプレーヤー（以下、「ＤＡＰ」という。）の構成を示すブロック図である。ＤＡＰ１（表示装置）は、ヘッドホン１０１にアナログオーディオデータ（音声信号）を出力する。ヘッドホン１０１は、アナログオーディオデータに基づいて、音声を外部に出力する。図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅回路８、無線モジュール９、ＵＳＢインターフェース（以下、「ＵＳＢ  Ｉ／Ｆ」という。）１０を備える。
【００１５】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００１６】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００１７】
ＤＳＰ（Digital Signal Processor）６は、デジタルオーディオデータに、イコライザー処理等の信号処理を行う。ＤＡＣ７は、デジタルオーディオデータをアナログオーディオデータにＤ／Ａ変換する。増幅回路８は、ＤＡＣ７がＤ／Ａ変換したアナログオーディオデータを増幅し、ヘッドホン１０１に出力する。無線モジュール９は、Ｂｌｕｅｔｏｏｔｈ（登録商標）規格、Ｗｉ−Ｆｉ規格に従った無線通信を行うためのものである。ＵＳＢ  Ｉ／Ｆ１０は、ＵＳＢ規格に従った通信を行うためのものである。
【００１８】
ＣＰＵ２は、表示部４に、楽曲（コンテンツ）に関するタイトル名（コンテンツ情報）を表示する。このとき、ＣＰＵ２は、複数のタイトル名において、重複部分が存在する場合、重複部分を抜き出して表示する。具体的には、ＣＰＵ２は、複数のタイトル名において、重複する文字列が所定数の（例えば、３）単語以上である場合に、重複部分を抜き出して表示する。例えば、図２に示すように、ＣＰＵ２は、複数のタイトル名において、「ピアノ協奏曲第１番ハ長調作品１５」が重複している場合、重複部分「ピアノ協奏曲第１番ハ長調作品１５」を抜き出して表示する。
【００１９】
また、ＣＰＵ２は、複数のタイトル名から重複部分を除いた情報（残りの文字）を、重複部分とは別の領域にそれぞれ表示する。例えば、ＣＰＵ２は、タイトル「ピアノ協奏曲第１番ハ長調作品１５第１楽章：Allegro con brio」から重複部分「ピアノ協奏曲第１番ハ長調作品１５」を除いた情報「第１楽章：Allegro con brio」を、重複部分「ピアノ協奏曲第１番ハ長調作品１５」とは別の領域に表示する。また、例えば、ＣＰＵ２は、タイトル「ピアノ協奏曲第１番ハ長調作品１５第２楽章：Largo」から重複部分「ピアノ協奏曲第１番ハ長調作品１５」を除いた情報「第２楽章：Largo」を、重複部分「ピアノ協奏曲第１番ハ長調作品１５」とは別の領域に表示する。また、例えば、ＣＰＵ２は、タイトル「ピアノ協奏曲第１番ハ長調作品１５第３楽章：Rondo(Allegro)」から重複部分「ピアノ協奏曲第１番ハ長調作品１５」を除いた情報「第３楽章：Rondo(Allegro)」を、重複部分「ピアノ協奏曲第１番ハ長調作品１５」とは別の領域に表示する。
【００２０】
次に、リスト画面に遷移する場合のＤＡＰ１の処理動作を、図３に示すフローチャートに基づいて説明する。ＣＰＵ２は、アルバム内の曲リストであるか否かを判断する（Ｓ１）。ＣＰＵ２は、アルバム内の曲リストであると判断した場合（Ｓ１：Ｙｅｓ）、リスト内の全曲情報（タイトル名）を取得する（Ｓ２）。次に、ＣＰＵ２は、リストから同じタイトル部分を検索し、グループ化した配列の集合に格納する（Ｓ３）。Ｓ３の処理の詳細は、後述する。次に、ＣＰＵ２は、同じタイトル部分をリストのセクションに、その他の文字をセルに表示する（Ｓ４）。言い換えれば、ＣＰＵ２は、複数のタイトル名において、重複部分を抜き出して表示し、複数のタイトル名から重複部分を除いた情報を、重複部分とは別の領域にそれぞれ表示する。ＣＰＵ２は、アルバム内の曲リストでないと判断した場合（Ｓ１：Ｎｏ）、タイトル名をそのまま表示する（Ｓ５）。
【００２１】
図４は、記憶部３に記憶されるハッシュマップを示す図である。図４に示すように、“ｇｒｏｕｐ”は、グループ名、すなわち、タイトル名の重複部分（同じタイトル部分）を示している。“ｇｒｏｕｐ”：“ピアノ協奏曲第１番ハ長調作品１５”では、“ピアノ協奏曲第１番ハ長調作品１５”が重複しているタイトル名がグループ化されている。“ｔｉｔｌｅｓ”は、重複部分を除いたタイトル名（残りの文字）を示している。“ｔｉｔｌｅｓ”：［“第１楽章：Allegro con brio”，“第２楽章：Largo”，“第３楽章：Rondo(Allegro)”］は、“ピアノ協奏曲第１番ハ長調作品１５”を除いたタイトル名が、“第１楽章：Allegro con brio”、“第２楽章：Largo”、“第３楽章：Rondo(Allegro)”であることを示している。
【００２２】
次に、図３のＳ３の処理を、図５に示すフローチャートに基づいて説明する。ＣＰＵ２は、ｎ番目のタイトル名を取得する（Ｓ１１）。次に、ＣＰＵ２は、ｎ＋１番目のタイトル名を取得する（Ｓ１２）。次に、ＣＰＵ２は、グループ名（ｇｒｏｕｐ）が保存されているか否かを判断する（Ｓ１３）。ＣＰＵ２は、グループ名が保存されていると判断した場合（Ｓ１３：Ｙｅｓ）、タイトル名にグループ名が含まれているか否かを判断する（Ｓ１４）。ＣＰＵ２は、タイトル名にグループ名が含まれていると判断した場合（Ｓ１４：Ｙｅｓ）、同じ文字列を“ｇｒｏｕｐ”、その他の文字を“ｔｉｔｌｅｓ”としてハッシュマップに追加する（Ｓ１５）。ＣＰＵ２は、全曲検索済であるか否かを判断する（Ｓ１６）。ＣＰＵ２は、全曲検索済であると判断した場合（Ｓ１６：Ｙｅｓ）、処理を終了する。
【００２３】
ＣＰＵ２は、グループ名が保存されていないと判断した場合（Ｓ１３：Ｎｏ）、同じ文字列が３単語以上あるか否かを判断する（Ｓ１７）。ＣＰＵ２は、同じ文字列が３単語以上あると判断した場合（Ｓ１７：Ｙｅｓ）、タイトル名から同じ文字列を抜き出す（Ｓ１８）。次に、ＣＰＵ２は、Ｓ１５の処理を行う。ＣＰＵ２は、同じ文字列が３単語以上でないと判断した場合（Ｓ１７：Ｎｏ）、グループ名を空（なし）でタイトル名をハッシュマップに保存する（Ｓ１９）。次に、ＣＰＵ２は、保存しているグループ名を削除する（Ｓ２０）。次に、ＣＰＵ２は、ｎを１増加させる（Ｓ２１）。その後、ＣＰＵ２は、Ｓ１１の処理を行う。ＣＰＵ２は、全曲検索済でないと判断した場合（Ｓ１６：Ｎｏ）、Ｓ２１の処理を行う。
【００２４】
以上説明したように、本実施形態では、ＣＰＵ２は、複数のタイトル名において、重複部分を抜き出して表示し、複数のタイトル名から重複部分を除いた情報を、重複部分とは別の領域にそれぞれ表示する。このため、各タイトル名において、異なる情報が表示されるため、長い文字数のタイトル名であっても、表示できる文字数が多くなる。これにより、ユーザーが所望の楽曲を選択しやすくなる。
【００２５】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２６】
上述の実施形態においては、コンテンツ情報を表示する表示装置として、ＤＡＰを例示した。これに限らず、スマートフォン、タブレットＰＣ等であってもよい。
【産業上の利用可能性】
【００２７】
本発明は、音楽等のコンテンツに関するコンテンツ情報を表示する表示装置、及び、表示装置の制御プログラムに好適に採用され得る。
【符号の説明】
【００２８】
１  ＤＡＰ（表示装置）
２  ＣＰＵ（制御部）
３  記憶部
４  表示部
５  操作部
６  ＤＳＰ
７  ＤＡＣ
８  増幅回路
１０１  ヘッドホン
【図１】
2018010705.tif 000003
【図２】
2018010705.tif 000004
【図３】
2018010705.tif 000005
【図４】
2018010705.tif 000006
【図５】
2018010705.tif 000007
【図６】
2018010705.tif 000008